(57)【要約】【課題】コンセントを介して電源が供給されている負荷を無停電で無停電電源装置等に切替え、負荷がコンセントから切り離されても継続して負荷に電源を供給することを可能にし、または無停電電源装置から電源が供給されている負荷を、無停電でコンセントからの電源に切替えて供給することを可能にした小容量型無停電切替器具を提供すること。【解決手段】小容量型無停電切替器具として、一方の面に形成された傾斜部４０、他方の面に形成された平坦部４２、傾斜部４０と平坦部４２とが交差する端部が尖状に形成された先端部４３、および傾斜部４０から平坦部４２にかけて貫通され、先端部４３から先端部４３の反対方向にかけて形成された複数の切欠部４４とからなる絶縁材で構成された器具本体部と、複数の切欠部４４内に設けられた導電性の刃受と、前記刃受と電気的に接続された差込プラグ６とから構成されたことを特徴とする。【選択図】　　　　図３
2004022515.tif 000002
【特許請求の範囲】
【請求項１】
一方の面に形成された傾斜部、他方の面に形成された平坦部、前記傾斜部と前記平坦部とが交差する端部が尖状に形成された先端部、および前記傾斜部から前記平坦部にかけて貫通され、前記先端部から前記先端部の反対方向にかけて形成された複数の切欠部とからなる絶縁材で構成された器具本体部と、前記複数の切欠部内に設けられた導電性の刃受と、前記刃受と電気的に接続された差込プラグとから構成されたことを特徴とする小容量型無停電切替器具。
【請求項２】
前記傾斜部の前記先端部とは反対側の端部側の一部に平坦部を形成すると共に、該平坦部に相応する位置にある前記刃受の一部に固定用刃受を形成したことを特徴とする請求項１に記載の小容量型無停電切替器具。
【請求項３】
前記他方の面に形成された平坦部の前記先端部とは反対側の端部側の一部に遮蔽部を設けたことを特徴とする請求項１または請求項２に記載小容量型無停電切替器具。
【請求項４】
前記本体部の側面に設けたストッパー可動用ボタンの操作に応じて、前記傾斜部に相応する前記切欠部内の所要の位置において出没可能なストッパーピンを設けたことを特徴とする請求項１ないし請求項３のいずれか１つの請求項に記載の小容量型無停電切替器具。
【請求項５】
前記傾斜部の中間部に、前記他方の面に形成された平坦部と略平行な平坦部を形成したことを特徴とする請求項１ないし請求項３のいずれか１つの請求項に記載の小容量型無停電切替器具。
【発明の詳細な説明】
【０００１】
【発明の属する技術分野】
本発明は、コンセントに差し込まれた差込プラグを介して電源が供給されている負荷を、差込プラグがコンセントから外されても無停電で無停電電源装置等に切替えることを可能にした小容量型無停電切替器具に関する。
【０００２】
【従来の技術】
従来、電気設備の点検において、低圧絶縁抵抗を測定するような場合、負荷への電源供給を遮断してから行っている。
【０００３】
【発明が解決しようとする課題】
しかし、負荷に供給されている電源が遮断されてしまうと、例えば、ビデオ等においては、メモリ内の予約データが消失してしまったり、さらには負荷によっては一時的な停電も許容されないものもある。
本発明の目的は、上記の問題点に鑑みて、コンセントを介して電源が供給されている負荷を無停電で無停電電源装置等に切替え、負荷がコンセントから切り離されても継続して負荷に電源を供給することを可能にし、または無停電電源装置から電源が供給されている負荷を、無停電でコンセントからの電源に切替えて供給することを可能にした小容量型無停電切替器具を提供することにある。
【０００４】
【課題を解決するための手段】
本発明は、上記の課題を解決するために、次のような手段を採用した。
【０００５】
第１の手段は、小容量型無停電切替器具として、一方の面に形成された傾斜部、他方の面に形成された平坦部、前記傾斜部と前記平坦部とが交差する端部が尖状に形成された先端部、および前記傾斜部から前記平坦部にかけて貫通され、前記先端部から前記先端部の反対方向にかけて形成された複数の切欠部とからなる絶縁材で構成された器具本体部と、前記複数の切欠部内に設けられた導電性の刃受と、前記刃受と電気的に接続された差込プラグとから構成されたことを特徴とする。
【０００６】
第２の手段は、第１の手段において、前記傾斜部の前記先端部とは反対側の端部側の一部に平坦部を形成すると共に、該平坦部に相応する位置にある前記刃受の一部に固定用刃受を形成したことを特徴とする。
【０００７】
第３の手段は、第１の手段または第２の手段において、前記他方の面に形成された平坦部の前記先端部とは反対側の端部側の一部に遮蔽部を設けたことを特徴とする。
【０００８】
第４の手段は、第１の手段ないし第３の手段のいずれか１つの手段において、前記本体部の側面に設けたストッパー可動用ボタンの操作に応じて、前記傾斜部に相応する前記切欠部内の所要の位置において出没可能なストッパーピンを設けたことを特徴とする。
【０００９】
第５の手段は、第１の手段ないし第３の手段のいずれか１つの手段において、前記傾斜部の中間部に、前記他方の面に形成された平坦部と略平行な平坦部を形成したことを特徴とする。
【００１０】
【発明の実施の形態】
本発明の第１の実施形態を図１ないし図９を用いて説明する。
図１は、図示していない商用電源に接続されているコンセント１に、差込プラグ２が差し込まれ、コンセント１から差込プラグ２を介して負荷３に電源が供給されている状態を示す図である。
図２は、図１に示されている状態から、コンセント１と差込プラグ２間に、本実施形態の発明に係る小容量型無停電切替器具（以下、本器具という）４を差し込むことによって、差込プラグ２がコンセント１から切り離されると共に、差込プラグ２が本器具４に差し込まれることによって、無停電電源装置５から本器具４および差込プラグ２を介して負荷３に電源が供給される状態を示す図である。
【００１１】
次に、本器具４の詳細な構成を図３ないし図６を用いて説明する。
図３は本器具４の外観図である。本器具４本体は絶縁体で形成され、同図に示すように、本器具４の表面側は傾斜部４０と平坦部４１とで形成され、裏面側は平坦部４２で形成され、さらに、表面側の傾斜部４０および平坦部４１から裏面側の平坦部４２にかけて、傾斜部４０と平坦部４２の端部が交差する先端部４３から平坦部４１方向にかけて差込プラグ２が差込れる２つの切欠部４４が形成されている。また本器具４の側面には後述する差込プラグ抜け防止機構のストッパー可動用ボタン４５が設けられ、他の側面には本器具４に接続される電線４６が引き出され、その端部に差込プラグ６に接続されている。
差込プラグ６は、図２に示すような無停電電源装置５に差込まれ、無停電電源装置５から本器具４への電源の供給を可能としている。
【００１２】
本器具４本体は絶縁体で構成されるが、これは電気が外に漏れないように絶縁状態を保持すると同時に、この絶縁体は本器具４本体の表面にて、図２に示すように、本器具４がコンセント１や差込プラグ２の表面を接触しながら取付けや取外しが行われるため、本器具４の取付けや取外しが円滑に行われるように滑りのよい材質のものが使用される。
【００１３】
また、尖状に形成された先端部４３と傾斜部４０は、図１に示すようなコンセント１に差込プラグ２が差し込まれた状態から、差込プラグ２を取外す際に、コンセント１と差込プラグ２間に本器具４を円滑に差し込むことを可能にし、さらに図２に示すように、コンセント１から差込プラグ２の離脱を容易にすると共に、差込プラグ２の本器具４への接続を容易になるように機能する。
【００１４】
また、平坦部４１は、図２に示すように、差込プラグ２をコンセント１から取外した後、この部分で差込プラグ２は本器具４と結合状態となるため、差込プラグ２が安定した状態で本器具４と結合することを可能にし、かつ本器具４と差込プラグ２との間での確実な電気的接続が図られるように機能する。
【００１５】
図４は本器具４の平面図であり、図５は本器具４の側面図である。これらの図に示すように、本器具４本体内には、後に詳述する差込プラグ抜け防止機構を構成するレバー４７、ストッパーピン４８、支点４９が設けられており、さらに本器具４には２つの切欠部４４に沿って充電部となる刃受５０が設けられている。この刃受５０は、差込プラグ２の刃と確実に電気的な接触を図り、接触不良等により熱の発生がないように構成される。固定用刃受５１は、平坦部４２に位置する刃受５０の一部に、切欠部４４内に突出するように設けられ、差込プラグ２が本器具４に差込まれた際に、差込プラグ２を確実に本器具４との間で電気的接続を図るために設けられる。
【００１６】
図６は本器具４の底面図である。同図において、遮蔽部５２は、本器具４の裏面側の平坦部４２の一部に、表面側の平坦部４１に相応する位置を塞ぐように絶縁体で構成されるものである。これは平坦部４２の平坦部４１に相応する箇所を塞ぐことにより、差込プラグ２が通電状態にあるとき差込プラグ２の刃先端部と触れて感電による危険を防止するためのものである。
【００１７】
次に、差込プラグ抜け防止機構の互いに異なる例を図７および図８を用いて説明する。
差込プラグ抜け防止機構は、上述のように、本器具４本体内に設けられるが、図７および図８はこの部分を取り出して示したものである。
【００１８】
差込プラグ抜け防止機構は、差込プラグ２を本器具４に差込んだ状態において、差込プラグ２が本器具４から抜け出すことを防止するためのものである。
【００１９】
図７は、磁石式の差込プラグ抜け防止機構であり、常時は、同図に示すように、可動磁石５３が同極性の固定磁石５４に反発されて可動磁石５３と一体のストッパーピン４８が切欠部４４内に押し出されるように構成されている。差込プラグ２を本器具４に取付け、または取外す際には、ストッパー可動用ボタン４５を押すことにより、支点４９を起点としてストッパーピン４８が磁石間の反発に抗して固定磁石５４側に移動され、引き込ませることができる。ストッパー可動用ボタン４５を離すと、可動磁石５３は固定磁石５４に反発されてストッパーピン４８が切欠部４４内に押し出される。
【００２０】
図８は、ばね式の差込プラグ抜け防止機構であり、常時は、同図に示すように、ばね５５によって押圧されてストッパーピン４８が押し出されるように構成されている。差込プラグ２を本器具４に取付け、または取外す際には、ストッパー可動用ボタン４５を押すことにより、支点４９を起点としてストッパーピン４８がばね力に抗してばね５５側に移動され、引き込ませることができる。ストッパー可動用ボタン４５を離すと、ばね５５によって押圧されてストッパーピン４８が切欠部４４内に押し出される。
【００２１】
次に、本器具４を用いて、コンセント１から差込プラグ２を取外す手順および本器具４に差込まれた差込プラグ２をコンセント１に取付ける手順について説明する。
はじめに、コンセント１から差込プラグ２を取外す手順について説明する。
まず、図１に示すような状態において、本器具４の先端がコンセント１と差込プラグ２間に挿入できるように、差込プラグ２を少し引いて隙間をあける。次に、図２に示すように、本器具４の傾斜部４０を差込プラグ２側に向け、先端部４３を前記隙間に差込み、ストッパー可動用ボタン４５を押し、差込プラグ２の刃に沿って本器具４の刃受５０を接触させながらスライドする。差込プラグ２を押さえながら本器具４をスライドさせていくことによって、差込プラグ２の刃先端が本器具４に納まり、差込プラグ２はコンセント１から外れる。
次に、コンセント１から引き抜かれた差込プラグ２は、図９に示すように、本器具４の平坦部４１までスライドさせ、固定用刃受５１において差込プラグ２は本器具４に固定される。
【００２２】
なお、上記において押していたストッパー可動用ボタン４５は、差込プラグ２の刃がストッパーピン４８を通り過ぎた時点で離してよい。
また、無停電電源装置５からはコンセント１に接続されている商用電源と同相、同電位の電源が供給されているので、本器具４の刃受５０に差込プラグ２が接触した状態から差込プラグ２には無停電電源装置５から電源が供給可能となっており、差込プラグ２がコンセント１から外されても、負荷３には電源供給が途絶えることなく連続して供給することが可能となる。
【００２３】
次に、本器具４に差込まれている差込プラグ２を取外し、コンセント１に差込む手順について説明する。
まず、図９に示すように、差込プラグ２が平坦部４１の固定用刃受５１において固定されている状態から、差込プラグ２の刃先が本器具４の裏面の平坦部４２から飛び出す可能性があるので、人体や金属類等に触れないようにして、差込プラグ２を傾斜部４０に沿ってストッパーピン４８付近までスライドさせる。次に、本器具４に差し込まれ、本器具４の平坦部４２から飛び出している差込プラグ２の刃先端をコンセント１に挿入する。次に、本器具４のストッパー可動用ボタン４５を押し、本器具４の傾斜部４０に沿って差込プラグ２を押しながら本器具４をスライドさせ、本器具４を引き抜き、差込プラグ２をコンセント１に最後まで挿入する。本器具４が引き抜かれると、差込プラグ２には、無停電電源装置５に代わってコンセント１から商用電源が供給される。
【００２４】
上記のごとく、本実施形態の発明に係る本器具４は以下に列挙するような特徴を有する。
本器具４の先端部４３が尖状に形成されているので、コンセント１から少し隙間とることによって、差込プラグ２を本器具４に容易に挿入することができる。
また、本器具４には傾斜部４０が形成されているので、差込プラグ２を滑らかにスライドさせることができ、コンセント１から差込プラグ２を容易に取外すことができる。
また、本器具４の平坦部４１に相応する位置に固定用刃受５１を設けたので、平坦部４１で差込プラグ２が固定され、安定した状態で無停電電源装置５からの電源供給が可能となる。
また、本器具４の裏面側の平坦部４２の一部に遮蔽部５２を設けたので、差込プラグ２の刃先先端（充電部）に触れて感電したり短絡する虞がなくなる。
また、ストッパーピン４８を設けることにより、差込プラグ２をコンセント１に取付ける際に、誤ってスライド時に本器具４が差込プラグ２から外れることを防止することができる。
【００２５】
次に、本発明の第２の実施形態を図１０ないし図１３を用いて説明する。
図１０は本器具４の外観図、図１１は本器具４の平面図、図１２は本器具４の側面図、図１３は本器具４の底面図である。
【００２６】
本実施形態の本器具４は、第１の実施形態のものと比べて、第１の実施形態のものでは傾斜部４０が平坦部４１の端部から本器具４の先端部４３まで一様に形成されていたのに対して、本実施形態では、傾斜部の途中の一部に平坦部４０２を形成し、平坦部４１の端部から先端部４３までを、傾斜部４０１、平坦部４０２、傾斜部４０３の様に形成した点で相違する。
【００２７】
上述のごとく、第１の実施形態のものでは、本実施形態の平坦部４０２に相当する部分も傾斜部４０で形成されていたために、この傾斜面に沿って差込プラグ２がスライドし、差込プラグ２が外れ易く、ストッパーピン４８を設ける必要があったが、本実施形態の本器具４では、平坦部４０２が形成されることによって、本器具４に差し込まれた差込プラグ２はスライドされ難くなり、本器具４から外れ難くなる。そのため、第１の実施形態のものにおいて必要としていた差込プラグ抜け防止機構が不要となる。
なお、本実施形態のその他の構成は、第１の実施形態の同符号の構成に対応するので説明を省略する。
【００２８】
次に、本実施形態の本器具４を用いてコンセント１から差込プラグ２を取外す手順および本器具４に差込まれた差込プラグ２をコンセント１に取付ける手順について説明する。
【００２９】
はじめに、コンセント１から差込プラグ２を取外す手順について説明すると、基本的には、第１の実施形態の手順と同じであるが、本実施形態では、差込プラグ抜け防止機構が設けられていないので、ストッパー可動用ボタンの操作に係る操作が不要となる。
【００３０】
次に、本器具４に差込まれている差込プラグ２を取外し、コンセント１に差込む手順について説明すると、この場合も基本的には第１の実施形態と同様の手順となるが、第１の実施形態のストッパーピンの代わりに平坦部４０２が設けられているので、差込プラグ２を傾斜部４０１を通って平坦部４０２の根本までスライドさせ、それ以降は第１の実施形態と同様の手順で操作する。この場合も、コンセント１から差込プラグ２を取外す場合と同様に、ストッパー可動用ボタンに係る操作が省略される。
【００３１】
上記のごとく、本実施形態の発明に係る本器具４は以下に列挙するような特徴を有する。
スライド時の抜け防止手段として平坦部４０２を設けたので、誤ってスライド時に本器具４が差込プラグ２から外れることを防止することができる。
また、第１の実施形態におけるような差込プラグ抜け防止機構が不要となるため、構造が簡単になる。
その他、本実施形態の本器具４は、第１の実施形態におけるストッパーに係る部分を除き、上記の第１の実施形態のものと同様の特徴を有する。
【００３２】
【発明の効果】
請求項１に記載の発明によれば、本器具として、一方の面に形成された傾斜部、他方の面に形成された平坦部、前記傾斜部と前記平坦部とが交差する端部が尖状に形成された先端部、および前記傾斜部から前記平坦部にかけて貫通され、前記先端部から前記先端部の反対方向にかけて形成された複数の切欠部とからなる絶縁材で構成された器具本体部と、前記複数の切欠部内に設けられた導電性の刃受と、前記刃受と電気的に接続された差込プラグとから構成したので、尖状の先端部によって、コンセントから少し隙間とることによって、差込プラグを本器具に容易に挿入することができる。また、傾斜部によって、滑らかにスライドさせることができるので、コンセントから差込プラグを容易に取外すことが可能となる。
【００３３】
請求項２に記載の発明によれば、前記傾斜部の前記先端部とは反対側の端部側の一部に平坦部を形成すると共に、該平坦部に相応する位置にある前記刃受の一部に固定用刃受を形成するようにしたので、平坦部で差込プラグが固定され、安定した状態で無停電電源装置から電源の供給が可能となる。
【００３４】
請求項３に記載の発明によれば、前記他方の面に形成された平坦部の前記先端部とは反対側の端部側の一部に遮蔽部を設けるようにしたので、差込プラグの刃先先端（充電部）に触れて感電したり短絡する虞がなくなる。
【００３５】
請求項４に記載の発明によれば、前記本体部の側面に設けたストッパー可動用ボタンの操作に応じて、前記傾斜部に相応する前記切欠部内の所要の位置において出没可能なストッパーピンを設けたので、差込プラグをコンセントに取付ける場合、誤ってスライド時に本器具が差込プラグから外れることを防止することが可能となる。
【００３６】
請求項５に記載の発明によれば、前記傾斜部の中間部に、前記他方の面に形成された平坦部と略平行な平坦部を形成したので、簡単な構成で、誤ってスライド時に本器具が差込プラグから外れることを防止することが可能となる。
【図面の簡単な説明】
【図１】電源が接続されているコンセント１に、差込プラグ２が差し込まれ、コンセント１から差込プラグ２を介して負荷３に電源が供給されている状態を示す図である。
【図２】差込プラグ２が本器具４に差し込まれて、無停電電源装置５から本器具４および差込プラグ２を介して負荷３に電源が供給されている状態を示す図である。
【図３】第１の実施形態の発明に係る本器具４の外観図である。
【図４】第１の実施形態の発明に係る本器具４の平面図である。
【図５】第１の実施形態の発明に係る本器具４の側面図である。
【図６】第１の実施形態の発明に係る本器具４の底面図である。
【図７】第１の実施形態の発明に係る磁石式の差込プラグ抜け防止機構を示す図である。
【図８】第１の実施形態の発明に係るばね式の差込プラグ抜け防止機構を示す図である。
【図９】第１の実施形態に係る平坦部４１に差込プラグ２が固定されている状態を示す本器具４の外観図である。
【図１０】第２の実施形態の発明に係る本器具４の外観図である。
【図１１】第２の実施形態の発明に係る本器具４の平面図である。
【図１２】第２の実施形態の発明に係る本器具４の側面図である。
【図１３】第２の実施形態の発明に係る本器具４の底面図である。
【符号の説明】
１　コンセント
２　差込プラグ
３　負荷
４　小容量型無停電切替器具（本器具）
４０　傾斜部
４０１　傾斜部
４０２　平坦部
４０３　傾斜部
４１　平坦部
４２　平坦部
４３　先端部
４４　切欠部
４５　ストッパー可動用ボタン
４６　電線
４７　レバー
４８　ストッパーピン
４９　支点
５０　刃受
５１　固定用刃受
５２　遮蔽部
５３　可動磁石
５４　固定磁石
５５　ばね
５　無停電電源装置
６　差込プラグ
【図１】
2004022515.tif 000003
【図２】
2004022515.tif 000004
【図３】
2004022515.tif 000005
【図４】
2004022515.tif 000006
【図５】
2004022515.tif 000007
【図６】
2004022515.tif 000008
【図７】
2004022515.tif 000009
【図８】
2004022515.tif 000010
【図９】
2004022515.tif 000011
【図１０】
2004022515.tif 000012
【図１１】
2004022515.tif 000013
【図１２】
2004022515.tif 000014
【図１３】
2004022515.tif 000015